(57)【要約】【課題】  コスト上昇を抑制し、小型化を図ることができる回転ポンプを提供する。【解決手段】  ロータリベーンポンプ１のロータ１２を永久磁石で構成してアキシャルギャップ形のブラシレスモータの永久磁石形ロータとしても作用させることにより、モータとポンプを別々に構成する場合のように、モータの回転を伝達するための磁気カップリングが不要となり、部品点数を削減することができて、ポンプの小型化やコストの上昇を抑制するロータリベーンポンプ１を提供することができる。【選択図】  図３
2007051611.tif 000002
【特許請求の範囲】
【請求項１】
ポンプ室を備えたポンプケースと、
前記ポンプ室内に設けられたロータと、
前記ポンプ室を複数の空間に区画する少なくとも１つのベーンと、
前記ロータを回転させる永久磁石形モータとを備え、
前記モータにより前記ロータを回転させて、前記ベーンにより区画された前記ポンプ室の複数の空間の容積変化により流体を搬送する回転ポンプにおいて、
前記ロータが永久磁石で構成され、このロータが前記永久磁石形モータの永久磁石形ロータを兼ねていることを特徴とする回転ポンプ。
【請求項２】
前記ベーンは前記ロータに出入可能に設けられ、
前記ベーンが前記ポンプ室の内周面に当接することにより、ポンプ室内を複数の空間に区画することを特徴とする請求項１記載の回転ポンプ。
【請求項３】
前記ベーンは前記ポンプケースに出入可能に設けられ、
前記べーンが前記ロータの外周面に当接することにより、ポンプ室内を複数の空間に区画することを特徴とする請求項１記載の回転ポンプ。
【請求項４】
前記ベーンは永久磁石で構成され、永久磁石で構成された前記ロータとの間に作用する磁気反発力で前記ポンプ室の内周面に当接することを特徴とする請求項２に記載の回転ポンプ。
【請求項５】
前記ポンプ室の内周面は磁性体で構成してあることを特徴とする請求項４に記載の回転ポンプ。
【請求項６】
前記永久磁石形モータはアキシャルギャップモータで構成されることを特徴とする請求項１ないし５のいずれかに記載の回転ポンプ。
【請求項７】
前記永久磁石形モータはラジアルギャップモータで構成されることを特徴とする請求項１ないし５のいずれかに記載の回転ポンプ。
【請求項８】
冷却媒体を循環させるために、請求項１ないし７のいずれかに記載の回転ポンプを用いたことを特徴とする冷却装置。
【請求項９】
請求項８記載の冷却装置を用いたことを特徴とする電子機器。
【請求項１０】
燃料を供給するために、請求項１ないし７のいずれかに記載の回転ポンプを用いたことを特徴とする燃料電池装置。
【発明の詳細な説明】
【技術分野】
【０００１】
本発明は、ベーンにより区画されたポンプ室内において、ロータが回転されて生ずるポンプ室内の容積変化によって流体の吸入・排出を行う回転ポンプ、その回転ポンプを使用した冷却装置、電子機器及び燃料電池装置に関する。
【背景技術】
【０００２】
従来よりベーンポンプとして、駆動源である永久磁石を使用した永久磁石形モータの回転軸に駆動用磁石を設け、この駆動用磁石に対向するように従動用磁石を設け、この従動用磁石とポンプのロータとが兼用されて、駆動用磁石及び従動用磁石の磁気カップリングにより、モータの回転をポンプのロータに伝達させる構成のものがある（例えば特許文献１）。
【特許文献１】特開平１１−１６６４８６号公報
【発明の開示】
【発明が解決しようとする課題】
【０００３】
上述したような従来技術においては、永久磁石を用いたモータと、駆動用磁石と、ポンプロータ（従動用磁石）を永久磁石で構成しているため、永久磁石を構成する３つの部材が必要となりコスト上昇を招くと共に構造が複雑になり小型化を図るのが困難であった。
【０００４】
本発明は上記事情に鑑みてなされたもので、その第１の目的は、コスト上昇を抑制し、小型化を図ることができる回転ポンプを提供することにある。第２の目的は、コスト上昇を抑制し、小型化を図ることができる冷却装置を提供することであり、第３の目的は、コスト上昇を抑制し、小型化を図ることができる電子機器を提供することであり、さらに、第４の目的は、コスト上昇を抑制し、小型化を図ることができる燃料電池装置を提供することである。
【課題を解決するための手段】
【０００５】
本発明の回転ポンプは、ポンプ室を備えたポンプケースと、前記ポンプ室内に設けられたロータと、前記ポンプ室を複数の空間に区画する少なくとも１つのベーンと、前記ロータを回転させる永久磁石形モータとを備え、前記モータによりロータを回転させて、前記ベーンにより区画された前記ポンプ室の複数の空間の容積変化により流体を搬送する回転ポンプにおいて、前記ロータが永久磁石で構成され、このロータが前記永久磁石形モータの永久磁石形ロータを兼用していることを特徴とする（請求項１）。
【０００６】
本発明の冷却装置は、冷却媒体を循環させるために、上記発明の回転ポンプを用いたことを特徴とする（請求項８）。
本発明の電子機器は、請求項８記載の冷却装置を用いたことを特徴とする（請求項９）。
本発明の燃料電池装置は、燃料を供給するために、上記発明の回転ポンプを用いたことを特徴とする（請求項１０）。
【発明の効果】
【０００７】
請求項１の回転ポンプによれば、モータの永久磁石形ロータとポンプのロータを兼用することができ、ポンプとモータを別々に構成する場合のように、回転を伝達するための磁気カップリングが不要となり、部品点数を削減することができて、ポンプの小型化及び低コスト化を図ることが可能となる。
請求項８記載の冷却装置によれば、小型化及び低コスト化を図ることができる。
請求項９記載の電子機器によれば、小型化及び低コスト化を図ることができる。
請求項１０記載の燃料電池装置によれば、小型化及び低コスト化を図ることができる。
【発明を実施するための最良の形態】
【０００８】
（第１の実施例）
以下本発明第１の実施例について図１ないし図７を参照しながら説明する。
まず、図１は本発明の流体ポンプとしての例えばロータリベーンポンプ１の外観斜視図、図２はロータリベーンポンプ１の断面図である。また、図３はロータリベーンポンプ１の分解斜視図、図４は、図３とは反対側から見たロータリベーンポンプ１の分解斜視図である。これら図１ないし図４において、ロータリベーンポンプ１のポンプケース２は、樹脂として例えばポリフェニレンサルファイド（ＰＰＳ）により矩形状に形成されており、第１のケース３と第２のケース４とを複数本のねじ５により連結することによって構成されている。第１のケース３の内部には、円形状をなすポンプ室６が形成されている。この第１のケース３の一側面には、それぞれ円筒状をなす吸入口１０と排出口１１とが設けられている。これら吸入口１０及び排出口１１は、略平行状態で側方へ突出していると共に、それぞれの流通路の一端部が上記ポンプ室６に連通している。
【０００９】
ポンプ室６内の第１のケース３の中心位置には、ロータ軸７が設けられており、このロータ軸７に対してポンプ室６の中心を偏心させるため、磁性体たとえば鉄材で形成された偏心部材８が、ポンプ室６の内周面に設けられている。偏心部材８は、内側に円形の空間を偏心して形成しており、ポンプ室６は実質的にこの偏心部材８の内側空間によって構成される。このポンプ室６内には、ロータ１２の中心孔１２ａにロータ軸７が挿通されて、ロータ１２が回転可能に設けられている。このロータ１２は、永久磁石により略円柱状に形成された回転ロータ１３と、この回転ロータ１３の外周部に形成されたベーン溝１３ａに設けられ、永久磁石により形成されたベーン１４とを含んで構成されている。そして、ポンプ室６の内周壁は、図６に示すように、吸入口１０と排出口１１との間のポンプ室６の内周壁とロータ１２との隙間が小さくなるように偏心して構成されている。尚、第１のケース３と偏心部材８との間にはシール溝９が形成される。
【００１０】
図５は、ロータ１２の着磁状態を示した図であり、図５（ａ）には回転ロータの着磁状態、図５（ｂ）にはベーン１４の着磁状態が示されている。この図５（ａ）において、まず、回転ローラ１３は、円周方向に偶数極となるように軸方向に着磁されている。この実施例では２極に着磁されている。即ち、図５（ａ）に示すように、回転ローラ１３の表側半分は、ベーン溝１３ａが中央に位置するように半円分ずつＮ極とＳ極とに２極着磁され、裏側半分は、表側半分とは逆の極となるように半円分ずつＮ極とＳ極とに２極着磁されている。一方、ベーン１４は、回転ローラ１３の軸方向に対応する方向に２極に着磁されている。そして、図６に示すように、ロータ１２は、回転ロータ１３とベーン１４との間に磁気反発力が作用するように配置されている。
【００１１】
つまり、ベーン１４は、その磁極方向を回転ロータ１３の軸方向の磁化方向と、一致するように、且つ、極の並びが回転ロータ１３の極の並びと同じとなるように配置される。そして、ベーン溝１３ａに設けられたベーン１４と、回転ロータ１３との間に磁気反発力が作用すること、および、ベーン１４と磁性体で形成された偏心部材８との間に磁気吸引力が作用することで、ベーン１４は回転ロータ１３の外側に突出して、ポンプ室６の内周面である偏心部材８の内周面に当接するようになる。これにより、ポンプ室６は、回転ロータ１３と、回転ロータ１３の外周部のベーン溝１３ａに設けられたベーン１４とにより、複数の空間例えば２つの空間に区画され、その空間の内、吸入口１０に連通した空間が吸入室６ａとして、排出口１１に連通した空間が排出室６ｂとしてそれぞれ区画される。
【００１２】
そして、第１のケース３のシール溝９は、シール１５が設けられ、ロータ１２と、第２のケース４との間には、アキシャルギャップ調節シート１６が配置されて（必要に応じて設ける）、第２のケース４が複数のねじ５により固定される。
【００１３】
また、第１のケース３の裏面（ポンプ室６とは逆の面）には、凹部１７が形成されている。この凹部１７には、ステータ１８が配設される。このステータ１８は、ロータ１２に対する磁界を発生させる複数個、この実施例では３個のモータ電機子コイル１９と、このモータ電機子コイル１９が配設されて、ヨークとして機能するバックヨーク２０と、このバックヨーク２０に設けられたフレキシブルプリント回路基板２１と、このフレキシブル回路基板２１に配設され、モータ電機子コイル１９に対する励磁を制御する駆動回路２２とを含んで構成されている。このステータ１８は、第１のケース３の凹部１７に配設され、複数のねじ５により固定されている。これにより、ロータ１２は、回転ロータ１３が２極に磁化されることにより、モータの永久磁石形回転子として機能し、さらに、ステータ１８が電機子として機能する。これらロータ１２とステータ１８とをアキシャル方向にギャップを有するように配設することで、アキシャルギャップ形のブラシレスモータ（永久磁石形モータ）として構成されている。
【００１４】
このようにして、ロータリベーンポンプ１が構成される。
一方図７は、ロータリベーンポンプ１を用いた冷却装置２３を電子機器としてパーソナルコンピュータ２４に適用した例が概略的に示されている。パーソナルコンピュータ２４は、本体ケース２５と、この本体ケース２５に対して開閉可能に設けられたフタケース２６とを備えていて、本体ケース２５の上面部には、図示しないがキーボードが設けられ、フタケース２６に、これも図示しないが液晶表示部が設けられている。
【００１５】
上記本体ケース２５の内部には、発熱部としてＣＰＵ２６が配置されていて、このＣＰＵ２６に、受熱ブロック２７が例えば伝熱性グリス等を用いて密着されている。この受熱ブロック２７には、冷却液（冷却媒体）が通り、発熱部としてのＣＰＵ２６からの熱を受熱（冷却）する流通路（図示しない）が設けられると共に、その流通路に連通する入口２７ａと出口２７ｂとが設けられている。本体ケース２５の内部には、冷却媒体を搬送するためのロータリベーンポンプ１が設けられている。さらに、フタケース２６の内部には放熱部２８が設けられており、この放熱部２８には、冷却用の冷却媒体が通る流通路（図示せず）が設けられると共に、その流通路に連通する入口２８ａと出口２８ｂとが設けられている。
【００１６】
そして、ロータリベーンポンプ１の吸入口１０は、接続チューブ２９を介して放熱部２８の出口２８ｂと接続され、ロータリベーンポンプ１の排出口１１は、接続チューブ２９を介して受熱ブロック２７の入口２７ａと接続されている。この受熱ブロック２７の出口２７ｂは、接続チューブ２９を介して放熱部２８の入口２８ａと接続されている。この場合、ロータリベーンポンプ１のポンプ室６内、受熱ブロック２７及び放熱部２８の流通路内には、冷却用の冷却媒体（不凍液等）が封入されている。尚、冷却装置２３は、ロータリベーンポンプ１、受熱ブロック２７、放熱部２８、接続チューブ２９及び冷却媒体を含んで構成されている。
【００１７】
次に上記構成の作用について説明する。
ロータリベーンポンプ１の駆動回路２２の制御下で、ロータ１２の回転位置を検出する位置検出器（図示せず）からの信号に基づいて電圧を印加することで、対象となるモータ電機子コイル１９が順次通電されて、モータの永久磁石形ロータとしての機能を兼用したロータ１２が、モータ電機子コイル１９の励磁に対して磁気吸引力及び磁気反発力が作用することにより、ロータ軸７を中心として図６中の矢印方向へ回転される。ロータ１２が回転されると、ベーン１４は、回転ロータ１３との磁気反発力により外側に突出すると共に偏心部材８との磁気吸引力により偏心部材８の内周面に吸着され、以って、ベーン１４がポンプ室６の内周面に当接することで、ポンプ室６内は複数の空間として吸入室６ａ及び排出室６ｂの２つの空間に区画される。そして、ロータ１２が回転されることにより、排出室６ｂの容積が縮小するのに伴った容積分の冷却媒体（流体）が排出口１１より排出されると共に、吸入室６ａの容積が拡大するのに伴って冷却媒体が吸入口１０より吸入される動作を繰返すことにより、回転ポンプとして機能する。
【００１８】
そして、排出口１１から排出された冷却媒体は、接続チューブ２９を通過して、受熱ブロック２７を通過し、さらに放熱部２８を通過して、吸入口１０から再び吸入される。この受熱ブロック２７を通過するとき、発熱部としてＣＰＵ２６より発生する熱は、受熱ブロック２７を介して流通路を通過する冷却媒体により吸収される。さらに、放熱部２８を通過するとき、冷却媒体は、放熱部２８の流通路を通過する際に放熱され、この放熱した冷却媒体は、吸入口１０から再びロータリベーンポンプ１に戻される。このようにして、発熱部としてＣＰＵ２６が、ロータリベーンポンプ１を用いた冷却装置２３により冷却されることになる。
【００１９】
上記した実施形態においては、次のような作用効果を得ることができる。
ロータリベーンポンプ１のロータ１２がアキシャルギャップモータの永久磁石形ロータとして機能するので、モータとポンプを別々に構成する場合のように、モータの回転を伝達するための磁気カップリングが不要となり、部品点数を削減することができて、ポンプの小型化や低コスト化を図ることが可能となる。さらに、モータとポンプとを別々に構成し、モータ軸の回転にポンプのロータと直接連結する構成とは異なり、ポンプケース２のモータの回転軸が通る部分におけるシール材が不要であり、磁気カップリングを使用することなく、流体の漏れを防止することができる。
【００２０】
また、ベーン１４は、回転ロータ１３との磁気反発力により外側に突出することで、ポンプ室６内は複数の空間として吸入室６ａ及び排出室６ｂの２つの空間に区画されるので、ベーン１４を偏心部材８の内周面に当接させるためのばねが不要となる。さらに、ベーン１４と磁性体である偏心部材８との間の磁気吸引力も作用することにより、偏心部材８の内周面への当接分が一層強くなり例えばポンプからの排出圧力が高くなったとしても、ベーン１４が回転ロータ１３側へ戻ってしまうのを抑制することができ、ポンプ室６内部での圧力漏れを一層効果的に防止することができるようになる。
【００２１】
（第２の実施例）
図８ないし図１１は、本発明の第２の実施例を示すもので、第１の実施例と異なるところを説明する。第１の実施例においては、ベーン１４を回転ロータ１３に出入可能に設け、さらに、モータをアキシャルギャップモータで構成したが、本実施例では、ベーン３０をポンプケース２の第１のケース３に出入可能に設け、モータをラジアルギャップモータで構成した。
【００２２】
即ち、第１のケース３の吸入口１０と排出口１１との間にベーン孔３ａが形成され、このベーン孔３ａには、ベーン３０がポンプ室６内に出入可能になるように付勢部材として例えばばね３１でポンプ室６側に付勢されている。ロータ３２の回転中心は、その円形中心から偏心して形成されており、ロータ３２はポンプ室６内を回転可能に設けられている。そして、ポンプ室６側に付勢されたベーン３０はロータ１２の外周面に常に当接し、ポンプ室６内は、複数の空間として吸入口１０に連通した吸入室６ａと排出口１１に連通した排出室６ｂとに区画される。
【００２３】
続いて、ロータ３２について説明する。ロータ３２は偏心された回転中心を中心とした円形部分３２ａが永久磁石で構成され、その外の外周部分３２ｂは例えば樹脂（ＰＰＳ等）で形成されている。ロータ３２の円形部分３２ａは、２極に磁化されている。また、ロータ３２には、凹部３２ｃを有しており、この凹部３２ｃが、第１のケース３に形成されている凸部３ｂに合わせられて、回転可能に配設されている。さらに、第１のケース３の裏面には、凸部３ｂに位置して環状の凹部３ｃが形成され、この凹部３ｃには、鉄心１９ａに装着したモータ電機子コイル１９がロータ３２の円形部分３２ａに対してラジアル方向にギャップを有して配設されている。これにより、ラジアルギャップ形のブラシレスモータ（永久磁石形モータ）として構成されている。
【００２４】
このようにして、回転ポンプとして回転ピストンポンプ３３が構成されている。
一方図１１は、上記回転ピストンポンプ３３を燃料電池装置３４に適用した例が概略的に示されている。燃料電池装置３４は、燃料として例えばメタノール（メチルアルコール）を燃焼させることにより発電を行う発電部３５と、この発電部３５に供給するメタノールを溜める燃料タンク３６と、この燃料タンク３６から発電部３５へメタノールを供給するための回転ピストンポンプ３３ａと、発電部３５に空気（酸素）を供給するための回転ピストンポンプ３３ｂとを含んで構成されている。
【００２５】
まず、燃料タンク３６は、接続チューブ３７を介して回転ピストンポンプ３３ａの吸入口１０に接続され、回転ピストンポンプ３３ａの排出口１１は、接続チューブ３７を介して、発電部３５に接続されている。また、回転ピストンポンプ３３ｂの吸入口１０は、そのまま空気中に開放され、回転ピストンポンプ３３ｂの排出口１１は、接続チューブ３７を介して、発電部３５に接続されている。
【００２６】
次に上記構成の作用について説明する。
回転ピストンポンプ３３の駆動回路２２の制御下で、ロータ３２の回転位置を検出する位置検出器からの信号に基づいて、モータ電機子コイル１９が順次通電されて、モータの永久磁石としての機能を兼用したロータ３２の円形部分３２ａに、モータ電機子コイル１９の励磁に対して磁気吸引力及び磁気反発力が作用することにより、偏心中心を中心として図８中の矢印方向へ回転される。これにより、排出室６ｂの容積が縮小するのに伴った容積分の冷却媒体（流体）が排出口１１より排出されると共に、吸入室６ａの容積が拡大するのに伴った容積分の冷却媒体が吸入口１０より吸入されることにより、回転ピストンポンプ（回転ポンプ）として機能する。
【００２７】
そして、回転ピストンポンプ３３ｂの駆動回路２２によりモータ電機子コイル１９への通電を制御することにより、燃料タンク３６に蓄えられたメタノールは、吸入口１０から吸入され、排出口１１から発電部３５に排出されると共に、回転ピストンポンプ３３ｂの駆動回路２２により、モータ電機子コイル１９への通電を制御することにより、吸入口１０から吸入された空気は、排出口１１から発電部３５に排出される。尚、これらの回転ピストンポンプ３３ａ，３３ｂからの排出量は、適当な比率になるように駆動回路２２で制御される。
【００２８】
（その他の実施例）
本発明は、上記した各実施例に限定されるものではなく、次のように変形または拡張することができる。
上記第１の実施例においては、ロータ１２とモータ電機子コイル１９とをアキシャル方向にギャップを有する構成のアキシャルギャップモータで構成したが、第２の実施例で示すようなラジアル方向にギャップを有するラジアルギャップモータで構成してもよい。
上記第２の実施例においては、ロータ３２とモータ電機子コイル１９とをラジアル方向にギャップを有する構成のラジアルギャップモータで構成したが、第１の実施例で示すようなアキシャルギャップモータで構成してもよい。
上記実施例において、それぞれ２極のモータで構成したが、偶数極に着磁されたロータを用いて４，６，８極等のモータで構成してもよい。
上記第２の実施例においては、ロータ３２の円形部分３２ａ全体を着磁する構成としたが、モータ電機子コイル１９のラジアル方向の一部分だけを着磁する構成としてもよい。また、ロータ３２の内周部分にモータ電機子コイル１９を設ける構成としたが、ロータ３２の外周部分にモータ電機子コイル１９を設ける構成としてもよい。
【００２９】
上記第１の実施例では、冷却媒体を搬送するためにロータリベーンポンプ１を用いて冷却装置２３を構成し、さらに、その冷却装置２３を電子機器としてパーソナルコンピュータ２４に適用する構成としたが、回転ピストンポンプ３３を用いて冷却装置２３を構成してもよく、さらに、その冷却装置２３を電子機器としてパーソナルコンピュータ２４に適用してもよい。
上記第２の実施例においては、燃料（メタノール）及び空気（酸素）を搬送するために回転ピストンポンプ３３を用いて燃料電池装置３４を構成したが、ロータリベーンポンプ１を用いて燃料電池装置３４を構成してもよい。
上記実施例においては、電子機器としてＣＰＵ２６（発熱部）を有するパーソナルコンピュータ２４に冷却装置２３を適用する構成としたが、発熱部を備える電子機器ならどんなものに冷却装置２３を適用する構成としてもよい。
上記実施例においては、ベーンを１つまたは２つ用いることで、ポンプ室６が複数の空間として吸入室６ａ及び排出室６ｂの２つの空間に区画された回転ポンプを構成したが、ベーンを２つまたは３つ以上設けることにより、ポンプ室６内を３つ以上の空間に区画された回転ポンプを構成してもよい。
上記第１の実施例で、ベーン１４を非磁性体で形成し、ばねでポンプ室６の内周面に当接させてもよい。
上記実施例では、永久磁石形モータとしてブラシレスモータを構成したが、永久磁石形のロータを回転させるモータであれば、どのような構成のモータでもよい。
上記実施例においては、ポンプケース２及びロータ３２の外周部分３２ｂをＰＰＳで形成する構成としたが、ポリアミドやＡＢＳ樹脂を用いて構成してもよい。
【図面の簡単な説明】
【００３０】
【図１】本発明第１の実施例を示すロータリベーンポンプの外観を示す斜視図
【図２】ロータリベーンポンプの断面図
【図３】ロータリベーンポンプの分解斜視図
【図４】図３とは反対側から見たロータリベーンポンプの分解斜視図
【図５】ロータの着磁状態を示す斜視図
【図６】回転ロータとベーンの磁極関係を示す斜視図
【図７】冷却装置を示す図
【図８】本発明第２の実施例を示す回転ピストンポンプの断面の斜視図
【図９】図８相当図
【図１０】図２相当図
【図１１】燃料電池装置の概略構成図
【符号の説明】
【００３１】
図面中、１はロータリベーンポンプ（回転ポンプ）、２はポンプケース、３は第１のケース、４は第２のケース、５はねじ、６はポンプ室、７はロータ軸、８は偏心部材、９はシール溝、１０は吸入口、１１は排出口、１２，３２はロータ、１３は回転ロータ、１４，３０はベーン、１５はシール、１６はアキシャルギャップ調整シート、１７は凹部、１８はステータ、１９はモータ電機子コイル、２０はバックヨーク、２１はフレキシブル回路基板、２２は駆動回路、２３は冷却装置、２４はパーソナルコンピュータ（電子機器）、２５は本体ケース、２６はフタケース、２７は受熱ブロック、２８は放熱部、２９，３７は接続チューブ、３１はばね、３２ａは円形部分、３２ｂは外周部分、３２ｃは凹部、３３，３３ａ，３３ｂは回転ピストンポンプ（回転ポンプ）、３４は燃料電池装置、３５は発電部、３６は燃料タンクを示す。
【図１】
2007051611.tif 000003
【図２】
2007051611.tif 000004
【図３】
2007051611.tif 000005
【図４】
2007051611.tif 000006
【図５】
2007051611.tif 000007
【図６】
2007051611.tif 000008
【図７】
2007051611.tif 000009
【図８】
2007051611.tif 000010
【図９】
2007051611.tif 000011
【図１０】
2007051611.tif 000012
【図１１】
2007051611.tif 000013